(57)【要約】【課題】小型で、かつ正確、確実に生体情報を検出できる生体情報検出装置を提供すること。【解決手段】外耳道１１０に挿入するインナーピース１０７に形成され、外耳道１１０の壁面に対して光を照射する発光素子１０１と、外耳道１１０の壁面からの散乱反射光を受光する受光素子１０４と、発光素子１０１とインナーピース１０７の表面との間の空間、及び受光素子１０４とインナーピース１０７の表面との間の空間とのうち少なくとも一方の空間に設けられている発光側レンズ１０２、受光側レンズ１０３とを有している。【選択図】        図１
2007185348.tif 000002
【特許請求の範囲】
【請求項１】
外耳道の壁面に光を照射し、体内からの散乱反射光に基づいて生体情報を検出する生体情報検出装置であって、
前記外耳道に挿入する本体内に形成され、前記外耳道の前記壁面に対して光を照射する発光手段と、
前記本体内に形成され、体内からの散乱反射光を受光する受光手段と、
前記発光手段と前記本体の表面との間の空間、及び前記受光手段と前記本体の表面との間の空間とのうち少なくとも一方の空間に設けられている集光手段と、を有することを特徴とする生体情報検出装置。
【請求項２】
前記集光手段は、外耳道近傍の動脈部分に前記発光手段からの光を集光させ、
前記受光手段は、前記動脈部分からの散乱反射光を受光することを特徴とする請求項１に記載の生体情報検出装置。
【請求項３】
前記発光手段と前記受光手段とは平行に配置されていることを特徴とする請求項１または２に記載の生体情報検出装置。
【請求項４】
前記発光手段と前記受光手段とは同一平面上に配置されていることを特徴とする請求項１または２に記載の生体情報検出装置。
【請求項５】
前記集光手段は、人体よりも屈折率の高い第１の物質と、前記第１の物質とは異なる屈折率の第２の物質または空間とで構成されていることを特徴とする請求項１〜４のいずれか一項に記載の生体情報検出装置。
【請求項６】
前記集光手段の前記発光素子側の面と、前記集光手段の前記受光素子側の面とが、それぞれ前記発光素子の表面と前記受光素子の表面とに対して非平行となるように形成されていることを特徴とする請求項１〜５のいずれか一項に記載の生体情報検出装置。
【請求項７】
前記発光手段の発光軸と前記受光手段の受光軸との少なくとも一方の軸と前記本体とのなす角度を可変とする調整機構を有することを特徴とする請求項１〜６のいずれか一項に記載の生体情報検出装置。
【請求項８】
前記本体表面に散乱反射光が前記受光素子へ入射することを防止する遮蔽手段を設けたことを特徴とする請求項１〜７のいずれか一項に記載の生体情報検出装置。
【発明の詳細な説明】
【技術分野】
【０００１】
本発明は、生体情報検出装置、特に、外耳道に挿入して使用する生体情報検出装置に関する。
【背景技術】
【０００２】
従来、生体情報、例えば、身近なものでは血中酸素飽和度や脈拍を検査する機器として身近なものではパルスオキシメータが知られている。パルスオキシメータを使用する人は、近赤外光センサを指や耳たぶに取り付ける。そして、近赤外光センサは、皮膚下の動脈からの反射光または透過光を検出する。これにより、脈拍を検出できる。
【０００３】
また、生体情報の他の例、例えば心拍を検出する機器としては、心電計が知られている。心電計は、体表面からの微弱な心臓活動電流を検出する。これにより、心拍を検出できる。
【０００４】
また、例えば、特許文献１には、動脈血の脈波を検出する構成が提案されている。この構成では、まず、センサを外耳道に挿入する。そして、センサ本体の外周に発光素子と受光素子とが設けられている。発光素子は、外耳道の動脈に光を照射する。受光素子は、動脈からの反射光を受光する。これにより、動脈血の脈波を検出する。また、センサには、音の通気孔が設けられている。
【０００５】
【特許文献１】特開平７−２４１２７９号公報
【発明の開示】
【発明が解決しようとする課題】
【０００６】
指に装着するタイプの脈拍センサでは、測定している間は手を動かさないようにしなければならない。このため、使用者は、測定中は不自由さを感じてしまう。また、耳たぶに装着するタイプの脈拍センサは、耳たぶを挟む構造によるため、脈拍センサが耳たぶから外れ易くなってしまい、使いづらくなってしまう。さらに、このタイプでは、脈拍センサと耳たぶとの間の横から光が入り易い。このため、脈拍検出エラーを生じやすかった。
【０００７】
さらに、特許文献１の構成では、発光部や受光部の構成が大きくなってしまう。このため、発光部や受光部を小型化することが困難であった。これにより、外耳道に沿った音の通気孔の径が細くなってしまうという不具合が考えられる。
【０００８】
また、発光素子と受光素子とは、それぞれ筒状の曲面の上表面に設けられている。発光部の発光素子から放射された赤外光は、外耳道に存在する動脈血管近傍に照射される。そして、受光素子は、筒状の曲面の上表面に設けられている。このため、動脈血管からの反射散乱光を受光素子が受けにくい配置構造となってしまう。従って、外耳道皮膚表面からの直接反射光は強い信号強度で受光できるのに対して、動脈からの反射光は微弱な信号強度の脈波信号となってしまう。この結果、脈波が検出しにくいという不具合がある。
【０００９】
本発明は、上記に鑑みてなされたものであって、小型で、かつ正確、確実に生体情報を検出できる生体情報検出装置を提供することを目的とする。
【課題を解決するための手段】
【００１０】
上述した課題を解決し、目的を達成するために、本発明によれば、外耳道の壁面に光を照射し、体内からの散乱反射光に基づいて生体情報を検出する生体情報検出装置であって、外耳道に挿入する本体内に形成され、外耳道の壁面に対して光を照射する発光手段と、本体内に形成され、外耳道の壁面からの散乱反射光を受光する受光手段と、発光手段と本体の表面との間の空間、及び受光手段と本体の表面との間の空間とのうち少なくとも一方の空間に設けられている集光手段と、を有することを特徴とする生体情報検出装置を提供できる。
【００１１】
また、本発明の好ましい態様によれば、集光手段は、外耳道近傍の動脈部分に発光手段からの光を集光させ、さらに、受光手段は、動脈部分からの散乱反射光を受光することが望ましい。
【００１２】
また、本発明の好ましい態様によれば、発光手段と受光手段とは平行に配置されていることが望ましい。
【００１３】
また、本発明の好ましい態様によれば、発光手段と受光手段とは同一平面上に配置されていることが望ましい。
【００１４】
また、本発明の好ましい態様によれば、集光手段は、人体よりも屈折率の高い第１の物質と、第１の物質とは異なる屈折率の第２の物質または空間とで構成されていることが望ましい。
【００１５】
また、本発明の好ましい態様によれば、集光手段の発光素子側の面と、集光手段の受光素子側の面とが、それぞれ発光素子の表面と受光素子の表面とに対して非平行となるように形成されていることが望ましい。
【００１６】
また、本発明の好ましい態様によれば、発光手段の発光軸と受光手段の受光軸との少なくとも一方の軸と本体とのなす角度を可変とする調整機構を有することが望ましい。
【００１７】
また、本発明の好ましい態様によれば、本体表面に散乱反射光が受光素子へ入射することを防止する遮蔽手段を設けたことが望ましい。
【発明の効果】
【００１８】
本発明によれば、小型で、かつ正確、確実に生体情報を検出できる生体情報検出装置を提供することができる。
【発明を実施するための最良の形態】
【００１９】
以下に、本発明に係る生体情報検出装置の実施例を図面に基づいて詳細に説明する。なお、この実施例によりこの発明が限定されるものではない。
【実施例１】
【００２０】
本発明の実施例１に係る脈拍センサ１００について説明する。図１は、脈拍センサ１００を人間の外耳道１１０に挿入した状態の断面構成を示している。外耳道１１０の奥には、鼓膜１１、鼓室１２、及び耳小骨１３等が形成されている。図２は、脈拍センサ１００の断面構造（ｙｚ断面）を示している。外耳道１１０周辺には、動脈や静脈等の血管１１１が存在している。以下、脈拍、特に脈波を検出するために血管１１１として動脈を測定対象とする。なお、「脈波」とは、心臓の拍動に伴う末梢血管内の血圧、体積の変化、変動をいう。脈波情報は、脈拍情報を含んでいる。以下、全ての実施例のセンサは、脈波を検出できるものであるが、便宜上「脈拍センサ」と総称する。
【００２１】
脈拍センサ１００は、ヘッドホンのインナーイヤースピーカのような形状を有している。これにより、脈拍センサ１００は、外耳道１１０にスムーズに挿入できる。なお、脈拍センサ１００は、生体情報検出装置に対応する。
【００２２】
インナーピース１０７は、例えば、プラスチックのような材料で形成されている。音響孔１０６は、インナーピース１０７の中心部近傍に形成されている。体外からの音は、音響孔１０６を通過して鼓膜１１に到達する。インナーピース１０７は、本体に対応する。
【００２３】
また、不図示の体外ユニットから供給される音楽など音声の電気信号は、音響振動板１０５により音響に変換される。これにより、脈拍センサ１００は、後述する生体情報検出機能に加えて、インナーイヤースピーカとしての機能をも有している。
【００２４】
図３は、脈拍センサ１００の図２のＡ−Ａ断面（ｘｚ断面）の構成を示している。発光素子１０１は、赤色光または赤外光を照射する。照射された光は、発光側レンズ１０２に入射する。発光側レンズ１０２は、発光素子１０１の発光面側に接するように配置されている。発光側レンズ１０２は、発光素子１０１からの光を、外耳道１１０近傍の血管１１１に収束させる。
【００２５】
血管１１１からの散乱反射光は、受光側レンズ１０３に入射する。受光側レンズ１０３は、散乱反射光を受光素子１０４の受光面に導く。受光側レンズ１０３は、受光素子１０４の受光面側に接するように配置されている。
【００２６】
ここで、発光素子１０１と受光素子１０４とは、それぞれ発光軸ＡＸ１と受光軸ＡＸ２が平行になるように並列に配置されている。また、インナーピース１０７の外表面は、外耳道１１０の周辺部分に接するように、円筒形状を有している。同様に、発光側レンズ１０２と受光側レンズ１０３との外表面も円筒形状を有している。
【００２７】
また、図には示していないが、発光素子１０１と受光素子１０４とには、それぞれ電源を供給するリード線と、信号線とが接続されている。これら信号線やリード線は、脈拍センサ１００と、体外に設けられている処理装置（不図示）とを接続している。処理装置は、例えばパルスオキシメータや指尖脈波計のような脈拍が検出できる装置である。処理装置は、電源を供給する機能、発光素子１０１の発光を制御する機能、受光素子１０４からの微弱な受光信号を増幅し脈拍数を演算して数字表示する機能等を備えている。
【００２８】
次に、本実施例における動作を説明する。処理装置（不図示）は、発光素子１０１を断続発光または継続発光させる制御信号を出力する。発光素子１０１は、制御信号に同期して、例えば赤外光を発光する。
【００２９】
発光素子１０１から照射された光は、発光側レンズ１０２を通り円筒形状の外表面に到達する。そして、円筒形状の外表面を通過した光は、外耳道１１０の周辺部分に入射する。ここで、発光側レンズ１０２の屈折率は１．９程度である。また、人体の屈折率は１．３７程度である。このため、脈拍センサ１００と人体との曲界面において、発光素子１０１からの光は屈折率の違いに応じて屈折する。そして、外耳道１１０の周辺部分に収束されて血管１１１に照射される。
【００３０】
外耳道１１０には、耳介に分布した浅側頭動脈枝や後耳動脈枝が伸びている。脈拍センサ１００を外耳道１１０に挿入することで、発光側レンズ１０２により発光素子１０１からの赤外光が外耳道１１０に近接した動脈内の血管１１１付近に照射される。
【００３１】
血管１１１に照射された光は、血液の脈流の変動に応じた散乱反射光となる。そして、受光側レンズ１０３に入射された散乱反射光は、受光面に効率良く入射するように拡げられて受光素子１０４の受光面に入射する。受光素子１０４は、光の強度に応じた信号強度の電流に変換する。変換された信号は、上述の処理装置に出力される。
【００３２】
血管１１１からの脈流変動を伴った反射光の光強度は、外耳道１１０の周辺部分の各組織からの散乱光の光強度に比較して微弱である。このため、変動している信号のみを処理可能な信号強度レベルまで増幅する。増幅された信号は、脈拍信号として処理される。そして、脈拍信号に基づいて、脈波数が演算される。脈波数の数値データは、液晶表示部（不図示）に表示される。
【００３３】
発光素子１０１は、例えば、半導体レーザーである。半導体レーザーの発光波長は、近赤外、例えば９４０ｎｍ位である。このような波長領域（周波数）の光を人体表面に投射すると、人体の表面近傍に存在する動脈周辺に到達する。そして、動脈の脈流に応じた光強度変化を伴った光が散乱反射されるという性質がある。脈拍センサ１００は、このような性質を利用している。なお、発光素子１０１の発光波長は、近赤外光に限られず、他の波長領域でも脈拍が検出できる波長であればよい。
【００３４】
なお、図２において、音響振動板１０５は、必ずしも必要ではない。音響振動板１０５を設けない構成では、音響孔１０６をインナーピース１０７の外部にまで筒抜けに形成する。
【００３５】
また、本実施例では、発光側レンズ１０２と受光側レンズ１０３とを別体として構成している。しかしながら、これに限らず、発光側レンズ１０２と受光側レンズ１０３とを一体として構成してもよい。
【００３６】
また、外耳道１１０の奥行き方向（ｙ軸方向）に沿って、例えば表面形状を凸状にしても良い。これにより、奥行き方向に光を収束させる機能を持たせることができる。この結果、奥行き方向でも限定した動脈箇所における脈拍の検出が可能となる。また、この構成によれば、一方向のみの光の収束機能よりも、更に脈拍からの信号強度を強く検出でき、不要な箇所からの散乱反射光の入射を低減できる。この結果、よりＳＮ比の高い信号を得ることができる。
【００３７】
本実施例によれば、脈拍センサ１００を外耳道１１０に挿入するだけで生体情報、例えば脈拍を取得できる。このため、使用者は、測定中は身体を拘束されることなく、不自由さを感じることがない。また、耳たぶを挟む構造とは異なるため、脈拍センサ１００が測定中に外れることがないので、使いやすい。さらに、脈拍センサ１００は、外耳道１１０に挿入するため、脈拍センサ１００と耳たぶとの間の横から迷光が入射してしまうことを防止できる。このため、正確、かつ確実に脈拍を検出できる。さらに、発光素子１０１や受光素子１０４をインナーピース１０７の内部に収納する構成となっている。このため、発光素子１０１等の発熱に起因するやけどを防止できる。
【００３８】
さらに、本実施例では、発光素子１０１や受光素子１０４を小型化できる。これにより、脈拍センサ１００を小型化できる。このため、外耳道１１０に沿った音響孔１０６の径を大きくできる。これにより、外部からの音を良好に聞くことができ、音楽など聴きながら安定して脈拍や血流脈波の検出を確実に行うことができる。
【００３９】
また、動脈等の血管１１１からの反射散乱光は、受光側レンズ１０３により効率よく受光素子１０４へ導かれる。このため、受光素子１０４は、動脈からの反射光を正確かつ確実に検出できる。このように、本実施例によれば、小型で、かつ正確、確実に生体情報を検出できる脈拍センサ１００を提供できる。
【実施例２】
【００４０】
次に、本発明の実施例２に係る脈拍センサ２００について説明する。実施例１と同一の部分には同一の符号を付し、重複する説明は省略する。
【００４１】
図４は、脈拍センサ２００の断面構成を示している。本実施例では、発光素子１０１の発光面と、受光素子１０４の受光面とが平行になるように構成されている。ここで、発光軸ＡＸ１と受光軸ＡＸ２とを平行にし、かつ発光軸ＡＸ１と受光軸ＡＸ２との中央位置が、発光側レンズ１０２と受光側レンズ１０３の境界ＡＸ３に一致するように配置する。これにより、発光素子１０１と受光素子１０４との素子サイズが異なったときでも、血管１１１から反射して戻ってきた反射光を、受光素子１０４により効率良く受光できる。
【００４２】
また、発光素子１０１、受光素子１０４は、それぞれ基板１２０上に形成されている。基板１２０は、シリコンで形成されている。発光素子１０１と受光素子１０４とは、不図示の発光駆動回路や受光信号増幅回路などと共に基板１２０の表面上にＭＥＭＳ技術により形成されている。この構造により、発光素子１０１の発光熱を基板１２０に伝播させることができる。これにより、発光素子１０１に局部的に熱が集中することを防止できる。また、本構成により、脈拍センサ２００の製造コストを低減できる。
【００４３】
また、本実施例では、インナーピース１０７の円筒形状を、そのまま光学レンズとして使用することができる。このため、脈拍センサ２００の製造が容易となる、量産可能となる。
【実施例３】
【００４４】
次に、本発明の実施例３に係る脈拍センサ３００について説明する。実施例１と同一の部分には同一の符号を付し、重複する説明は省略する。
【００４５】
図５は、脈拍センサ３００の断面構成を示している。本実施例では、発光素子１０１の発光面と、受光素子１０４の受光面とが非平行で、かつ互いに少し内側方向に向き合うよう、換言すると扇状の角度をなすように設けられている。
【００４６】
この構成により、光路長を短くできる。このため、外耳道１１０に近い、人体の皮膚の表面から浅いところに存在する血管１１１に光を照射できる。これにより、受光素子１０４は、皮膚の表面から浅い部分からの散乱反射光を受光できる。
【００４７】
また、本実施例では、発光素子１０１の発光面と、受光素子１０４の受光面とを、互いに少し内側方向に向き合うように構成している。しかしながら、これに限られず、発光素子１０１の発光面と、受光素子１０４の受光面との傾きを反対の方に向ける構成でもよい。このときは、外耳道１１０の表面より深いところに存在する血管（動脈）に光を照射できる。この結果、受光素子１０４は、さらに深い領域からの散乱反射光を受光できる。
【実施例４】
【００４８】
次に、本発明の実施例４に係る脈拍センサ４００について説明する。実施例１と同一の部分には同一の符号を付し、重複する説明は省略する。
【００４９】
図６は、脈拍センサ４００の断面構成を示している。脈拍センサ４００の表面は、外耳道１１０の内壁に必ずしも接触しなくても、脈拍を検出できる。これは前述した実施例１〜３における脈拍センサ１００、２００、３００についても同様である。しかしながら、本実施例では、脈拍センサ４００が、皮膚表面に触れていても、使用者にとって安全であるような構成を備えている。
【００５０】
図６に示すように、発光素子１０１の発光面と発光側レンズ１０２の発光素子１０１側の面Ｓ１との間、及び受光素子１０４の受光面と受光側レンズ１０３の受光素子１０４側の面Ｓ２との間に、それぞれ空間４０１を設けている。これにより、発光素子１０１、受光素子１０４の発熱が、直接、発光側レンズ１０２や受光側レンズ１０３に伝わらないようにできる。これにより、発光側レンズ１０２や受光側レンズ１０３が、外耳道１１０の皮膚表面に触れていても、使用者がやけどすることを防止できる。
【００５１】
このように、本実施例では、発光側レンズ１０２、受光側レンズ１０３は、人体よりも屈折率の高い第１の物質と、第１の物質とは異なる屈折率の空間とで構成されている。また、空間４０１の代わりに、第１の物質とは異なる屈折率の第２の物質を用いることもできる。第１の物質や第２の物質としては、例えば、光学ガラスを用いることができる。また、発光素子１０１や受光素子１０４を第２の物質で封止することもできる。このため、脈拍センサ４００の製造が容易となる。
【００５２】
また、図７は、本実施例の変形例における発光素子１０１近傍の断面構成を示している。本変形例では、発光素子１０１の傾きを調整するための調整機構を有している。なお、受光素子１０４も発光素子１０１と同様の構成で傾きを調整できる。このため、発光素子１０１を例にして説明を行う。
【００５３】
圧電アクチェータ１２２は、いわゆる摺動型であり、固定されている基板１２０の表面上を摺動可能に形成されている。また、発光素子１０１は、第２の基板１２１上に形成されている。第２の基板１２１の一方の端部は、基板１２０に固定されている。第２の基板１２１の他方の端部と、基板１２０との間に圧電アクチュエータ１２２が設けられている。ここで、基板１２０と第２の基板１２１とは角度θをなしている。そして、圧電アクチェータ１２２は、図中の左右方向に摺動できる。これにより、第２の基板１２１の傾きが変化する。この結果、発光素子１０１の発光面の傾きを変えることができる。
【００５４】
圧電アクチュエータ１２２として、例えば、ＭＥＭＳ技術による静電アクチェータ、磁気アクチェータ、熱アクチェータ、圧電アクチェータ、静電モータ等を用いることができる。これにより、基板１２０に対して発光軸ＡＸ１が垂直である状態から発光軸ＡＸ１と基板１２０とが所定の角度だけ傾く状態にまで制御できる。
【００５５】
この結果、外耳道１１０の表面より深いところに存在する血管１１１の部分に光を収束させるように、深さ方向の収束位置を変化させることができる。例えば、脈拍の検出信号の信号強度が弱いとき、本調整機構にて血管１１１からの検出信号がなるべく大きくなるように、発光素子１０１や受光素子１０４の傾き角度を制御することができる。また、不要な散乱光が、受光素子１０４に入射しないように、発光素子１０１や受光素子１０４の傾斜角度を調整することもできる。上述したように、発光素子１０１と同様の調整機構により、受光素子１０４の傾斜角度も調整できる。
【実施例５】
【００５６】
次に、本発明の実施例５に係る脈拍センサ５００について説明する。実施例１と同一の部分には同一の符号を付し、重複する説明は省略する。
【００５７】
図８は、脈拍センサ５００の断面構成を示している。本実施例は、実施例４の構成と同様な空間４０１を設けると共に、発光側レンズ１０２の発光素子１０１側の表面Ｓ１を発光面と非平行にして傾けている。同様に、受光側レンズ１０３の受光素子１０４側の表面Ｓ２を受光面と非平行にして傾けている。
【００５８】
このように、面Ｓ１、Ｓ２に傾斜を持たせることで、外耳道１１０に近い、即ち皮膚の表面から浅いところに存在する血管１１１に光を照射できる。これにより、受光素子１０４は、浅い部分からの散乱反射光を受光できる。
【００５９】
なお、本実施例では、２つの面Ｓ１、Ｓ２がなす傾斜を凹状にしている。これに対して、２つの面Ｓ１、Ｓ２がなす傾斜を凸状にすると、外耳道１１０の表面より深いところに存在する血管１１１に光を照射できる。これにより、受光素子１０４は、より深い部分からの散乱反射光を受光できる。
【００６０】
また、本実施例において、面Ｓ１と面Ｓ２とがなす角度が異なるように、発光側レンズ１０２と受光側レンズ１０３とを組み合わせたユニットを複数用意しておくこともできる。このとき、ユニットの表面の筒形状の局率半径は同じ値となるようにする。そして、これらのユニットを適宜交換することで、２つの面Ｓ１、Ｓ２がなす傾斜角を可変にできる。
【００６１】
なお、発光側レンズ１０２、受光側レンズ１０３の屈折率が１．９のとき、面Ｓ１または面Ｓ２と水平線とのなす角度は５°〜１０°である。さらに、好ましくは、この角度は７°である。
【実施例６】
【００６２】
次に、本発明の実施例６に係る脈拍センサ６００について説明する。実施例１と同一の部分には同一の符号を付し、重複する説明は省略する。
【００６３】
図９は、脈拍センサ６００の断面構成を示している。本実施例では、発光側レンズ１０２の外表面、及び受光側レンズ１０３の外表面に遮蔽部３０１が形成されている。遮蔽部３０１は、外耳道１１０の表面付近からの不要な散乱反射光を防ぐ機能を有している。遮蔽部３０１は、厚さの薄い物質で、かつ近赤外光を透過させない、例えば黒色の材料で構成されている。これにより、発光素子１０１からの不要な発光の漏れ光の放射を防止したり、血管１１１以外からの不要な散乱反射光が受光素子１０４に入射することを防止できる。この結果、微弱な脈拍信号を低ノイズで検出できる。
【００６４】
なお、遮蔽部３０１は、発光側レンズ１０２の外表面、及び受光側レンズ１０３の外表面の両方の表面に設ける構成に限られない。例えば、そのいずれか一方、即ち、発光側レンズ１０２の外表面のみに遮光部６０１を設けること、または受光側レンズ１０３の外表面のみに遮光部６０１を設けること等の構成でもよい。このように、不要な散乱反射光を防止する機能があれば、遮光部６０１の位置はいずれの位置でも良い。
【００６５】
以上説明した各実施例において、発光側レンズ１０２、受光側レンズ１０３として、非球面レンズや屈折率分布型レンズを用いることができる。これにより、さらに効率よく所望の位置に光を収束させること、または広げて導くことができる。さらに、光学面に反射防止膜や多層膜を形成することで、迷光や不要な反射光を低減できる。この結果、ＳＮ比の高い検出を行うことができる。
【００６６】
また、各実施例において、異なる大きさのインナーピースを用意しておくこともできる。これにより、大人を測定するときと、子供を測定するときとで、それぞれ最適な大きさのインナーピースを交換して使用することができる。さらに、本発明の生体情報検出装置は、生体情報として、脈波、脈拍の他に、例えば体温を検出することができる。このように、本発明は、その趣旨を逸脱しない範囲で様々な変形例をとることができる。
【産業上の利用可能性】
【００６７】
以上のように、本発明に生体情報検出装置は、生体情報、特に脈波を検出する装置に有用である。
【図面の簡単な説明】
【００６８】
【図１】本発明の実施例１に係る脈拍センサを外耳道に挿入している状態を示す図である。
【図２】実施例１の脈拍センサの断面構成を示す図である。
【図３】実施例１の脈拍センサの断面構成を示す他の図である。
【図４】本発明の実施例２に係る脈拍センサの断面構成を示す図である。
【図５】本発明の実施例３に係る脈拍センサの断面構成を示す図である。
【図６】本発明の実施例４に係る脈拍センサの断面構成を示す図である。
【図７】実施例４の変形例に係る脈拍センサの断面構成を示す図である。
【図８】本発明の実施例５に係る脈拍センサの断面構成を示す図である。
【図９】本発明の実施例６に係る脈拍センサの断面構成を示す図である。
【符号の説明】
【００６９】
１００  脈拍センサ
１０１  発光素子
１０２  発光側レンズ
１０３  受光側レンズ
１０４  受光素子
１０５  音響振動板
１０６  音響孔
１０７  インナーピース
１１０  外耳道
１１１  血管
１２０  第１基板
１２１  第２基板
１２２  圧電アクチュエータ
２００、３００、４００  脈拍センサ
４０１  空間
６０１  遮光部
１１  鼓膜
１２  鼓室
１３  耳小骨
Ｓ１、Ｓ２  面
ＡＸ１  発光軸
ＡＸ２  受光軸
ＡＸ３  境界
【図１】
2007185348.tif 000003
【図２】
2007185348.tif 000004
【図３】
2007185348.tif 000005
【図４】
2007185348.tif 000006
【図５】
2007185348.tif 000007
【図６】
2007185348.tif 000008
【図７】
2007185348.tif 000009
【図８】
2007185348.tif 000010
【図９】
2007185348.tif 000011